(57)【要約】【課題】携帯電話機等の表示機能付き端末において、保存された画像情報の中から所望の画像情報を容易に選び出すことができるようにする。【解決手段】第１表示状態において、縮小画像Ｍ５による一覧画面で１つのファイルが選択された後に、第２表示状態への切替え操作がなされると、表示制御部１１０は、比較画面モードを実行する。すなわち、表示制御部１１０は、選択されたファイルとこのファイルの前後のファイルのそれぞれに対応する中間画像Ｍ７、Ｍ８、Ｍ９の画像信号を液晶表示器５００に送出し、第２ディスプレイ面２１に、これら中間画像Ｍ７、Ｍ８、Ｍ９を表示させる。これら３つの中間画像Ｍ７、Ｍ８、Ｍ９は、第２ディスプレイ面２１に収まる範囲内で、できる限り大きく表示される。【選択図】図５
2011151809.tif 000002
【特許請求の範囲】
【請求項１】
第１表示面を有する第１表示部と、
第２表示面を有する第２表示部と、
前記第１表示部および第２表示部の表示を制御する表示制御部と、
複数の画像情報が記憶される記憶部と、
前記第１表示面と前記第２表示面のうち第１表示面のみが露出する第１表示状態と前記第１表示面および前記第２表示面が露出する第２表示状態に前記第１表示部および第２表示部を切り替える切替部とを備え、
前記表示制御部は、前記第１表示状態において、前記第１表示部に対して、前記複数の画像情報を第１サイズで一覧表示させる第１表示制御を行い、前記第２表示状態において、一方の表示部に対して前記第１表示制御を行い、他方の表示部に対して、前記一覧表示のうち選択された画像情報と当該画像情報との間で所定の基準を満たす画像情報とを第１サイズよりも大きい第２サイズで表示させる第２表示制御を行い、
さらに、前記表示制御部は、前記第１表示状態にて前記画像情報が選択された後、前記第２表示状態へ移行すると、当該移行に応じて、前記第１表示制御と第２表示制御を実行するとともに、前記第１表示状態にて前記画像情報が選択されていなければ、前記第２表示状態への移行に応じて、前記第１および第２表示部の双方に前記第１表示制御を実行する、
ことを特徴とする表示機能付き端末。
【請求項２】
請求項１に記載の表示機能付き端末において、
前記表示制御部は、前記第２表示制御で表示する画像情報に対する拡大指示に応じて、第２サイズより大きい第３サイズの画像情報を表示させる、
ことを特徴とする表示機能付き端末。
【請求項３】
請求項１または２に記載の表示機能付き端末において、
前記表示制御部は、前記第２表示制御で表示する画像情報に対するスクロール指示に応じて、表示する画像情報をスクロールさせる、
ことを特徴とする表示機能付き端末。
【請求項４】
請求項１ないし３のいずれか一項に記載の表示機能付き端末において、
前記表示制御部は、第２表示状態において、前記第１表示制御で表示する前記一覧表示のうち所望の画像情報が選択されたとき、前記第２表示制御で表示する画像情報を当該選択に応じて更新する、
ことを特徴とする表示機能付き端末。
【請求項５】
請求項１ないし４のいずれか一項に記載の表示機能付き端末において、
前記画像情報は、動画像情報を含み、
前記表示制御部は、前記第２表示制御において、表示の対象に含まれる前記動画像情報を再生し表示する、
ことを特徴とする表示機能付き端末。
【請求項６】
請求項１に記載の表示機能付き端末において、
前記表示制御部は、前記第１および第２表示部の双方に前記第１表示制御を実行した後１つの画像情報が選択されると、当該画像情報を前記第２サイズよりも大きい第３サイズで表示させる、
ことを特徴とする表示機能付き端末。
【請求項７】
請求項１ないし６のいずれか一項に記載の表示機能付き端末において、
前記複数の画像情報の前記一覧表示上での位置が前記所定の基準とされる、
ことを特徴とする表示機能付き端末。
【請求項８】
請求項１ないし６のいずれか一項に記載の表示機能付き端末において、
前記複数の画像情報に付加された時間情報が前記所定の基準とされる、
ことを特徴とする表示機能付き端末。
【請求項９】
請求項１ないし６のいずれか一項に記載の表示機能付き端末において、
前記複数の画像情報に付加された位置情報が前記所定の基準とされる、
ことを特徴とする表示機能付き端末。
【発明の詳細な説明】
【技術分野】
【０００１】
本発明は、表示機能付き端末に関し、特に、携帯電話機やＰＤＡ（PersonalDigital Assistant）等の携帯端末に用いて好適なものである。
【背景技術】
【０００２】
一般に、携帯電話機等の携帯端末においては、液晶表示器が備えられており、この液晶表示器のディスプレイ面上に種々の情報が表示されるようになっている。このディスプレイ面が大きければ、一度に多くの情報（文書など）を表示したり、テレビ映像を大きく映し出したりすることができる。しかし、一方で、ディスプレイ面が大きくなると、機器自身のサイズが大きくなってしまい、携帯する際には邪魔になりやすい。
【０００３】
このような事情に鑑み、２つのディスプレイ面を有し、これらディスプレイ面が前後に重なる状態と横方向に並ぶ状態とに切替え可能とした携帯電話機が考えられている。このような携帯電話機は、たとえば、特許文献１に示されている。この携帯電話機によれば、２つのディスプレイ面が重なった状態にされれば、機器本体が小さくなるので、携帯する際に邪魔になりにくい。一方、使用時に、２つのディスプレイ面が並ぶ状態にされれば、大きな画面での画像表示を行うことができる。
【先行技術文献】
【特許文献】
【０００４】
【特許文献１】特開２００２−４４２０２号公報
【発明の概要】
【発明が解決しようとする課題】
【０００５】
ところで、多くの携帯電話機は、カメラ機能を備えている。カメラ撮影した画像（静止画や動画）は内蔵メモリや機器に装着されたメモリーカードに保存される。また、多くの携帯電話機では、通信回線を介して各種ウェブサイトから画像を取り込むことができ、これら画像も内蔵メモリなどに保存される。
【０００６】
メモリに保存された画像からは、サムネイル作成処理により、オリジナル画像の縮小画像（サムネイル）が作成される。そして、所定の機能モードにおいて、この縮小画像の一覧画面がディスプレイ面に表示される。ユーザは、この一覧画面の縮小画像を見ることにより、どのような画像が保存されているかを確認することができる。
【０００７】
上記特許文献１の携帯電話機のように、ディスプレイ面を大画面化することができれば、一覧画面全体のサイズを大きくできるので、一度に多くの縮小画像が配置できる。このため、ユーザは、保存された画像の中から所望の画像を選び出す際にも、一覧画面を頻繁にスクロール操作する必要がなく、使い勝手が良くなる。
【０００８】
しかしながら、保存された画像の中には、連続写真のように類似した複数の画像が含まれている場合がある。これら類似した画像の中から所望の画像（たとえば、最も映りの良い写真）を選び出すような場合、縮小画像のサイズでは、画像が小さすぎて、これらの画像同士を細かく比較することが難しい。よって、このような場合であっても、所望の画像が容易に選び出せるようにすることが望ましい。
【０００９】
本発明は、このような課題を解消するものであり、携帯電話機等の表示機能付き端末において、保存された画像情報の中から所望の画像情報を容易に選び出すことができるよう
にすることを目的とする。
【課題を解決するための手段】
【００１０】
上記課題に鑑み本発明は、以下の特徴を有する。
【００１１】
本発明の第１の態様に係る表示機能付き端末は、第１表示面を有する第１表示部と、第２表示面を有する第２表示部と、前記第１表示部および第２表示部の表示を制御する表示制御部と、複数の画像情報が記憶される記憶部と、前記第１表示面と前記第２表示面のうち前記第１表示面のみが露出する第１表示状態と前記第１表示面および前記第２表示面が露出する第２表示状態に前記第１表示部および第２表示部を切り替える切替部とを備え、前記表示制御部は、前記第１表示状態において、前記第１表示部に対して、前記複数の画像情報を第１サイズで一覧表示させる第１表示制御を行い、前記第２表示状態において、一方の表示部に対して前記第１表示制御を行い、他方の表示部に対して、前記一覧表示のうち選択された画像情報と当該画像情報との間で所定の基準を満たす画像情報とを第１サイズよりも大きい第２サイズで表示させる第２表示制御を行い、さらに、前記表示制御部は、前記第１表示状態にて前記画像情報が選択された後、前記第２表示状態へ移行すると、当該移行に応じて、前記第１表示制御と第２表示制御を実行するとともに、前記第１表示状態にて前記画像情報が選択されていなければ、前記第２表示状態への移行に応じて、前記第１および第２表示部の双方に前記第１表示制御を実行することを特徴とする。
【００１２】
本発明の第２の態様は、上記第１の態様に係る表示機能付き端末において、前記表示制御部は、前記第２表示制御で表示する画像情報に対する拡大指示に応じて、第２サイズより大きい第３サイズの画像情報を表示させることを特徴とする。
【００１３】
本発明の第３の態様は、上記第１の態様または第２の態様に係る表示機能付き端末において、前記表示制御部は、前記第２表示制御で表示する画像情報に対するスクロール指示に応じて、表示する画像情報をスクロールさせることを特徴とする。
【００１４】
本発明の第４の態様は、上記第１の態様ないし第３の態様のいずれか１つに係る表示機能付き端末において、前記表示制御部は、第２表示状態において、前記第１表示制御で表示する前記一覧表示のうち所望の画像情報が選択されたとき、当該選択に応じて、前記第２表示制御で表示する画像情報を更新することを特徴とする。
【００１５】
本発明の第５の態様は、上記第１の態様ないし第４の態様のいずれか１つに係る表示機能付き端末において、前記画像情報は、動画像情報を含み、前記表示制御部は、前記第２表示制御において、表示の対象に含まれる前記動画像情報を再生し表示することを特徴とする。
【００１６】
本発明の第６の態様は、上記第１の態様に係る表示機能付き端末において、前記表示制御部は、前記第１および第２表示部の双方に前記第１表示制御を実行した後１つの画像情報が選択されると、当該画像情報を前記第２サイズよりも大きい第３サイズで表示させることを特徴とする。
【００１７】
本発明の第７の態様は、上記第１ないし第６の態様のいずれかに係る表示機能付き端末において、前記複数の画像情報の前記一覧表示上での位置が前記所定の基準とされることを特徴とする。この場合、たとえば、前記表示制御部は、前記第２表示状態において、他方の表示部に対して、前記一覧表示のうち選択された画像情報と当該画像情報に前記一覧表示上で隣接する画像情報とを第１サイズよりも大きい第２サイズで表示させる第２表示制御を行う。
【００１８】
本発明の第８の態様は、上記第１ないし第６の態様のいずれかに係る表示機能付き端末において、前記複数の画像情報に付加された時間情報が前記所定の基準とされることを特徴とする。この場合、たとえば、前記表示制御部は、前記第２表示状態において、他方の表示部に対して、前記一覧表示のうち選択された画像情報と当該画像情報に時間情報が近い画像情報とを第１サイズよりも大きい第２サイズで表示させる第２表示制御を行う。
【００１９】
本発明の第９の態様は、上記第１ないし第６の態様のいずれかに係る表示機能付き端末において、前記複数の画像情報に付加された位置情報が前記所定の基準とされることを特徴とする。この場合、たとえば、前記表示制御部は、前記第２表示状態において、他方の表示部に対して、前記一覧表示のうち選択された画像情報と当該画像情報に位置情報が近い画像情報とを第１サイズよりも大きい第２サイズで表示させる第２表示制御を行う。
【発明の効果】
【００２０】
上記第１の態様によれば、他方の表示面上に第２サイズで表示された画像情報を詳細に比較することができるので、複数の画像情報の中から所望の画像情報を容易に選び出すことができる。
【００２１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２２】
【図１】実施の形態に係る携帯電話機の構成を示す図
【図２】実施の形態に係る携帯電話機において、第１ディスプレイ面による第１表示状態から第１ディスプレイ面と第２ディスプレイ面とによる第２表示状態への切替え操作について説明するための図
【図３】実施の形態に係る携帯電話機の回路構成を示すブロック図
【図４】実施の形態に係る携帯電話機において、第１表示状態のときに第１ディスプレイ面に表示される初期画面（モード選択画面）の表示例を示す図
【図５】実施の形態に係る携帯電話機において、データ表示モードにおける画面表示制御を説明するためのフローチャート
【図６】実施の形態に係る携帯電話機において、データ表示モードにおける画面表示制御を行ったときの画面表示例を示す図
【図７】実施の形態に係る携帯電話機において、データ表示モードにおける画面表示制御を行ったときの画面表示例を示す図
【図８】実施の形態に係る携帯電話機において、データ表示モードにおける画面表示制御を行ったときの画面表示例を示す図
【図９】実施の形態に係る携帯電話機において、データ表示モードにおける画面表示制御を行ったときの画面表示例を示す図
【図１０】実施の形態に係る携帯電話機において、データ表示モードにおける画面表示制御を行ったときの画面表示例を示す図
【図１１】実施の形態に係る携帯電話機において、データ表示モードにおける画面表示制御の変形例を説明するためのフローチャート
【図１２】実施の形態に係る携帯電話機において、データ表示モードにおける画面表示制御の変形例を実行したときの、第２表示状態での他の画面表示例を示す図
【図１３】実施の形態に係る携帯電話機において、構成例１（変更例）の画面表示制御を行った時の画面表示例を示す図
【図１４】実施の形態に係る携帯電話機において、構成例１（変更例）の画面表示制御を行った時の画面表示例を示す図
【発明を実施するための形態】
【００２３】
以下、本発明の実施形態につき図面を参照して説明する。
【００２４】
図１は、本発明の一実施形態である携帯電話機の構成を示す図（分解斜視図）である。携帯電話機は、第１キャビネット１と、第２キャビネット２と、これら第１、第２キャビネット１、２を保持する保持体３とで構成されている。
【００２５】
第１キャビネット１は、上下に薄い横長の直方体形状を有する。第１キャビネット１には、液晶表示器（図示せず）が内蔵され、その上面に、第１ディスプレイ面１１が配されている。第１ディスプレイ面１１の上には、タッチパネル１２が取り付けられる。タッチパネル１２は、第１ディスプレイ面１１上に表示された各種キーがユーザによって押されたときに、押された位置を検出して、その位置に応じた信号（位置信号）を出力する。
【００２６】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００２７】
第２キャビネット２は、上下に薄い横長の直方体形状を有する。すなわち、第２キャビネット２は、第１キャビネット１とほぼ同じ形状と大きさを有する。第２キャビネット２には、液晶表示器（図示せず）が内蔵され、その上面に、第２ディスプレイ面２１が配されている。この第２ディスプレイ面２１のサイズは、第１ディスプレイ面１１のサイズと同じになっている。第２ディスプレイ面２１の上には、タッチパネル２２が取り付けられる。タッチパネル２２は、第２ディスプレイ面２１上に表示された各種キーがユーザによって押されたときに、押された位置を検出して、その位置に応じた信号（位置信号）を出力する。
【００２８】
第２キャビネット２の内部には、後面近傍の中央位置に磁石２３が配されている。
この磁石２３と第１のキャビネット１の磁石１４とは、後述の如く大画面を構成する位置に第１キャビネット１と第２キャビネット２が位置づけられた状態（第２表示状態）にあるときに、互いに引き合うよう構成されている。なお、第１キャビネット１および第２キャビネット２において、一方の磁石の磁力が十分大きければ、他方の磁石を磁性体に代えてもよい。
【００２９】
第２キャビネット２内部において、右前角部には閉センサ２４が配されており、右後角部には開センサ２５が配されている。これら閉センサ２４およびと開センサ２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉センサ２４に接近するので、閉センサ２４からＯＮ信号が出力される。一方、第１キャビネット１と第２キャビネット２とが前後に並んだ状態になると、第１キャビネット１の磁石１５が、開センサ２５に接近するので、開センサ２５からＯＮ信号が出力される。
【００３０】
さらに、第２キャビネット２の右側面には２つの軸部２６が設けられており、第２キャビネット２の左側面には２つの軸部２７が設けられている。
【００３１】
保持体３は、底板部３１と、底板部３１の右端部に形成された右保持部３２と、底板部３１の左端部に形成された左保持部３３とで構成されている。底板部３１、右保持部３２
および左保持部３３に囲まれた収容領域Ｒに、第１キャビネット１および第２キャビネット２が上下に重なった状態で収容される。
【００３２】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００３３】
右保持部３２の上面にはマイク３５および電源ボタン３６が配されている。また、右保持部３２の外側面には、操作ボタン群３７が配されている。操作ボタン群３７は、マナーモードの設定ボタンなど、複数の操作ボタンからなる。一定の機能については、これら操作ボタンを操作することにより、タッチパネル１２、２２を操作することなく実行される。左保持部３３の上面には、スピーカ３８が配されている。ユーザは、左保持部３３側が耳元に、右保持部３２側が口元にくるように携帯電話機を持って、通話を行う。
【００３４】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００３５】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００３６】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００３７】
図２は、本実施の形態に係る携帯電話機において、第１ディスプレイ面１１による第１表示状態から第１ディスプレイ面１１と第２ディスプレイ面２１とによる第２表示状態への切替え操作について説明するための図である。
【００３８】
初期の状態においては、同図（ａ）に示すように、第２キャビネット２が第１キャビネット１の背後に隠れた状態となっている。この状態においては、第１ディスプレイ面１１のみが外部に露出している。この状態を「第１表示状態」という。切替えの操作は、ユーザによって手動で行われる。
【００３９】
まず、ユーザは、同図（ｂ）に示すように、第１キャビネット１を後方に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３４に押されて上昇する。このとき、磁石１４と磁石２３とが引き合うことによって、さらに大きな上昇力が働く。こうして、同図（ｄ）に示すように、第１キャビネット１と第２キャビネット２とが、前後に密着するように、且つ面一となるように並ぶ。第１ディスプレイ面１１と第２ディスプレイ面２１とが一体化され、大画面となる。この状態を「第２表示状態」という。
【００４０】
図３は、本実施の形態に係る携帯電話機の回路構成を示すブロック図である。携帯電話機は、図１により説明した構成部品の他、ＣＰＵ１００、ＴＶモジュール２００、通信処理部３００、液晶表示器４００、５００、メモリ６００、バッテリー７００、電源部８００を備える。
【００４１】
ＴＶモジュール２００は、ＴＶチューナなどを含み、アンテナ２１０を介して受信した地上デジタル放送波などの電波を映像信号に変換してＣＰＵ１００に送る。
【００４２】
カメラモジュール１３は、撮像レンズ１３ａ、撮像素子１３ｂなどから構成されている。撮像レンズ１３ａは、被写体の像を撮像素子１３ｂ上に結像させる。撮像素子１３ｂは、例えばＣＣＤからなり、取り込んだ画像に応じた撮像信号を生成し、ＣＰＵ１００へ送る。
【００４３】
マイク３５は、音声信号を電気信号に変換してＣＰＵ１００へ送る。スピーカ３８は、ＣＰＵ１００からの音声信号を音声として再生する。
【００４４】
通信制御部３００は、ＣＰＵ１００からの音声信号や画像信号、テキスト信号などを無線信号に変換し、アンテナ３１０を介して基地局へ送信するとともに、アンテナ３１０を介して受信した無線信号を音声信号や画像信号、テキスト信号などに変換してＣＰＵ１００へ送る。
【００４５】
液晶表示器４００は、第１ディスプレイ面１１を構成する液晶パネル、バックライト装置などを備え、ＣＰＵ１００（後述の表示制御部１１０）からの駆動信号によって、第１ディスプレイ面１１上に画像を表示する。同じく、液晶表示器５００は、第２ディスプレイ面２１を構成する液晶パネル、バックライト装置などを備え、ＣＰＵ１００からの駆動信号によって、第２ディスプレイ面２１上に画像を表示する。
【００４６】
メモリ６００には、カメラモジュール１３で撮影した画像の画像データ（静止画、動画）や通信処理部３００を介して外部から取り込んだ画像データ（静止画、動画）、テキストデータ（メールデータ）などが所定のファイル形式で保存される。
【００４７】
バッテリー７００は、ＣＰＵ１００やＣＰＵ１００以外の携帯電話機の各部へ電力を供給するためのものであり、二次電池からなる。バッテリー７００は、電源部８００に接続されている。
【００４８】
電源部８００は、バッテリー７００の電圧を前記各構成部に必要な大きさの電圧に変換して各構成部に供給する。また、電源部８００は、外部電源の入力部（図示せず）を介して供給された電力をバッテリー７００に供給して、バッテリー７００を充電する。
【００４９】
電源部８００には、電圧検出部８１０が設けられている。電圧検出部８１０は、バッテリー７００の電圧を検出して、ＣＰＵ１００へ送る。
【００５０】
ＣＰＵ１００は、タッチパネル１２、２２、操作ボタン群３７、マイク３５、撮像素子１３ｂなど各部からの入力信号に基づいて、スピーカ３００、液晶表示器４００、５００などの各部に制御信号を出力することにより、各種の機能モード（電話モード、メールモード、インターネットモード、テレビモード、カメラモードなど）の処理を行う。また、ＣＰＵ１００は、電圧検出部８１０からの電圧信号に基づいて、バッテリー７００の残量を判断する。
【００５１】
ＣＰＵ１００は表示制御部１１０を含む。表示制御部１１０は、ＣＰＵ１００内に用意
された作業エリアとなるメモリ（図示せず）内で、液晶表示器４００、５００に表示する画像を生成し、生成した画像を表示させるための画像信号（ＲＧＢ信号）を液晶表示器４００、５００に出力する。また、表示制御部１１０は、撮像素子１３ｂから送られてきた画像データ、メモリ６００内に保存された画像データ、通信処理部３００を介して受信した画像データなどを取り込む。そして、取り込んだ画像データから画像信号（ＲＧＢ信号）を生成し、生成した画像信号を液晶表示器４００、５００に出力する。液晶表示器４００、５００には、画像信号に応じた画像が表示される。
【００５２】
さて、第２キャビネット２が閉じられており、第１表示状態にあるときには、第１ディスプレイ面１１上に画像が表示される。
【００５３】
図４は、本実施の形態に係る携帯電話機において、第１表示状態のときに第１ディスプレイ面１１に表示される初期画面（機能モード選択画面）の表示例を示す図である。
【００５４】
第１ディスプレイ面１１の中央部には、メイン表示として、「テレビ」「メール」「マップ」など１１種類のモードキーＭ１が配されている。ユーザが画面上で、所望のモードキーＭ１を押すと、そのモードキーＭ１に応じた機能モードが実行される。第１ディスプレイ面１１の上部には、サブ表示として、受信状態を示すアンテナマークＭ２、メールが受信されたことを示すメールマークＭ３、電池の残量を示す残量マークＭ４が配されている。
【００５５】
この初期画面において、ユーザにより、たとえば、「データ」のモードキーＭ１が押されれば、データ表示モードへ移行する。ユーザは、このデータ表示モードにおいて、所定の操作を行うことにより、メモリ６００に保存された画像（写真画像など）を確認できる。ユーザは、これら画像を単に眺める目的でこのモードを利用する場合がある。一方、これら画像の中から所望の画像を選び出す目的でこのモードを利用する場合もある。この場合、選び出された画像は、携帯電話機の待受画面の壁紙画像とされたり、パソコンなどの他の機器に移されたり、メールに添付され他人に送られたりされ得る。
【００５６】
図５は、本実施の形態に係る携帯電話機において、データ表示モードにおける画面表示制御を説明するためのフローチャートである。また、図６から図１０は、本実施の形態に係る携帯電話機において、データ表示モードにおける画面表示制御を行ったときの画面表示例を示す図である。
【００５７】
上述のように、「データ」のモードキーＭ１が押されると、表示制御部１１０は、メモリ６００から縮小画像Ｍ５の画像データを読み出し、これら縮小画像Ｍ５を表示するための画像信号を液晶表示器４００に送出する。これにより、第１ディスプレイ面１１に、縮小画像Ｍ５が複数配列された一覧画面が表示される（Ｓ１：図６参照）。なお、この一覧画面において、縮小画像Ｍ５の下方位置には、それぞれの画像のファイル名が表示される。また、画面右端には、一覧画面を送るためのスクロール操作部Ｍ６が表示される。
【００５８】
縮小画像Ｍ５は、メモリ６００に保存されたオリジナルの画像（以下、「原画像」という）の見本（インデックス）となるものである。縮小画像Ｍ５の画像データは、原画像の画像データをサムネイル処理することにより生成され、メモリ６００に格納されている。
【００５９】
ユーザは、上述のように、所望の画像を選び出す場合、一覧画面に表示された縮小画像Ｍ５を順に見て行くことで、所望の画像を選び出すことができる。しかし、メモリ６００に保存された画像の中に、連続写真のように類似した複数の画像が含まれている場合がある。これら類似した画像の中から所望の画像（たとえば、最も映りの良い写真）を選びだすような場合、縮小画像Ｍ５のサイズでは、画像が小さすぎて、これらの画像同士を細か
く比較することが難しい。
【００６０】
そこで、このような場合に、ユーザは、比較したい複数の縮小画像Ｍ５の中から１つを選択し、それを指などでタッチする。１つのファイル（たとえば、「００９.ｊｐｇ」）が選択されると、その縮小画像Ｍ５は、画像の枠が太くなるなど、他の縮小画像Ｍ５とは異なる表示形態に変更される。このようにして、所望のファイルを選択した後、ユーザは、携帯電話機を第２表示状態にすべく切替え操作を行う。
【００６１】
ユーザによって切替え操作がなされ、第２表示状態となると、上述したように、開センサ２５からのＯＮ信号がＣＰＵ１００に入力される。表示制御部１１０は、このＯＮ信号により、切替え操作がなされたと判断する（Ｓ２：ＹＥＳ）。なお、閉センサ２４からの信号がＯＦＦとなることで、切替え操作がなされたと判断する構成としてもよいし、閉センサ２４のＯＮ信号がなくなり且つ開センサ２５のＯＮ信号があると、切替え操作がなされたと判断する構成としてもよい。
【００６２】
次に、表示制御部１１０は、第１表示状態にて表示された縮小画像Ｍ５のうち一つがタッチされることにより当該縮小画像Ｍ５に対応するファイルがユーザにより選択されているか否かを判断する（Ｓ３）。そして、ファイルが選択されていると判断すると（Ｓ３：ＹＥＳ）、表示制御部１１０は、以下のステップＳ４からステップＳ１０の動作による、比較画面モードを実行する。
【００６３】
すなわち、表示制御部１１０は、選択されたファイルの原画像の画像データをメモリ６００から読み出して、これに対応する中間画像Ｍ７の画像信号を生成する。また、表示制御部１１０は、選択されたファイルの前後のファイルの原画像の画像データを、それぞれメモリ６００から読み出して、中間画像Ｍ８および中間画像Ｍ９の画像信号を生成する。そして、これら中間画像Ｍ７、Ｍ８、Ｍ９の画像信号を液晶表示器５００に送出し、第２ディスプレイ面２１に、これら中間画像Ｍ７、Ｍ８、Ｍ９を表示させる（Ｓ４：図７参照）。
【００６４】
図７に示すように、第２ディスプレイ面２１において、選択したファイル（たとえば、「００９．ｊｐｇ」）の中間画像Ｍ７は画面中央に表示される。また、その前のファイル（たとえば、「００８．ｊｐｇ」）の中間画像Ｍ８は、中間画像Ｍ７の左側に表示され、その後のファイル（たとえば、「０１０．ｊｐｇ」）の中間画像Ｍ９は、中間画像Ｍ７の右側に表示される。これら３つの中間画像Ｍ７、Ｍ８、Ｍ９は、第２ディスプレイ面２１に収まる範囲内で、できる限り大きく表示される。特に、中央の中間画像Ｍ７は、左右の中間画像Ｍ８、Ｍ９よりも少し大きく表示される。また、中間画像Ｍ７、Ｍ８、Ｍ９の下方位置には、それぞれの画像のファイル名が表示される。
【００６５】
こうして、第２ディスプレイ面２１には、縮小画像Ｍ５に比べて数段サイズが大きい、連続する３つの中間画像Ｍ７、Ｍ８、Ｍ９が表示される。これにより、ユーザは、これら中間画像Ｍ７、Ｍ８、Ｍ９を詳細に比較し、所望の画像を選び出すことができる。
【００６６】
さて、第２ディスプレイ面２１上の、３つの中間画像Ｍ７、Ｍ８、Ｍ９が表示された画面（以下、「比較用画面」という）において、中央の中間画像Ｍ７がユーザによってタッチされると、表示制御部１１０は、中央のファイルが選択されたと判断し（Ｓ５：ＹＥＳ）、選択されたファイルの原画像の画像データをメモリ６００から読み出して拡大画像Ｍ１０の画像信号を生成する。そして、この拡大画像Ｍ１０の画像信号を液晶表示器５００に送出し、第２ディスプレイ面２１に拡大画像Ｍ１０を表示させる（Ｓ６：図８参照）。拡大画像Ｍ１０は、第２ディスプレイ面２１に収まる最大限の大きさで表示される。こうして、ユーザは、選択したファイルの画像を、さらに詳細に確認することができる。
【００６７】
なお、表示制御部１１０が、第２ディスプレイ面２１ではなく、第１ディスプレイ面１１に拡大画像を表示させる構成とされてもよい。また、表示制御部１１０が、第１ディスプレイ面１１と第２ディスプレイ面２１とによる大画面に、この大画面に収まる最大限の大きさで、拡大画像を表示させる構成とされてもよい。
【００６８】
一方、上記比較用画面において、中央の中間画像Ｍ７ではなく、左右の中間画像Ｍ８、Ｍ９のいずれかがユーザによってタッチされると、表示制御部１１０は、左または右のファイルが選択されたと判断し（Ｓ７：ＹＥＳ）、上記ステップＳ４と同様の処理を行って、選択されたファイルの中間画像Ｍ７´を第２ディスプレイ面２１の中央に表示させ、そのファイルの前後のファイルの中間画像Ｍ８´、Ｍ９´を中間画像Ｍ７´の左右に表示させる（Ｓ８）。たとえば、図７において、「０１０．ｊｐｇ」のファイルが選択された場合には、図９に示すように、このファイルの中間画像Ｍ７´が画面中央に表示され、「００９．ｊｐｇ」および「０１１．ｊｐｇ」のファイルの中間画像Ｍ８´、Ｍ９´がその左右に表示される。このようにして、ユーザは、第２ディスプレイ面２１上の比較用画面を前後にスクロールすることができ、スクロールによって新たに表示された３つの中間画像Ｍ７´、Ｍ８´、Ｍ９´の間で画像の比較を行うことができる。
【００６９】
さらに、上記比較用画面において、現在表示されているファイル（たとえば、「００８.ｊｐｇ」〜「０１０．ｊｐｇ」）とは一覧画面上で離れた位置にあるファイル（たとえば、「００１．ｊｐｇ」〜「００３．ｊｐｇ」）の中間画像を表示させたい場合が考えられる。このような場合、上述したスクロール操作により、第２ディスプレイ面２１上でそのファイルの中間画像が現れるまで比較用画面をスクロールすることもできるが、これでは時間が長く掛かってしまう。
【００７０】
そこで、このような場合、ユーザは、第１ディスプレイ面１１上の一覧画面において、所望のファイル（たとえば、「００２．ｊｐｇ」）の縮小画像Ｍ５をタッチする。表示制御部１１０は、一覧画面でファイルが選択されたと判断すると（Ｓ９：ＹＥＳ）、上記ステップＳ４と同様な動作を行う。これにより、選択されたファイルの中間画像とその前後のファイルの中間画像の３つの画像が、第２ディスプレイ面２１に表示される（Ｓ１０）。このようにして、ユーザは、現在表示されているファイルとは離れた位置にあるファイルの中間画像を、迅速に第２ディスプレイ２１面に表示させることができる。
【００７１】
ところで、連続写真など類似する画像から所望の画像を選び出すようなことがなければ、ユーザは、画像同士を比較するような必要がない。
【００７２】
そこで、このような場合、ユーザは、第１表示状態において縮小画像Ｍ５の一覧画面が表示されている状態において（図６参照）、ファイルを選択することなく、第２表示状態への切替え操作を行う。このようにすると、先のステップＳ３において、表示制御部１１０は、ファイルが選択されていないと判断し（Ｓ３：ＮＯ）、以下のステップＳ１１からステップＳ１３の動作による、一覧画面モードを実行する。
【００７３】
すなわち、表示制御部１１０は、第１ディスプレイ面１１に表示した縮小画像Ｍ５に続く縮小画像Ｍ５の画像データをメモリ６００から読み出し、これら縮小画像Ｍ５を表示するための画像信号を液晶表示器５００に送出する。これにより、第２ディスプレイ面２１には、第１ディスプレイ面１１に続く縮小画像Ｍ５による一覧画面が表示される（Ｓ１１：図１０参照）。なお、この場合には、第１ディスプレイ面１１の一覧画面と第２ディスプレイ面２１の一覧画面とが一体的な画面となる。よって、スクロール操作部Ｍ６が操作されたときには、一体となった一覧画面がスクロールすることになる。
【００７４】
次に、第１ディスプレイ面１１および第２ディスプレイ面２１の双方の一覧画面において、ユーザによって所望のファイルが選択されると（Ｓ１２：ＹＥＳ）、表示制御部１１０は、上記ステップＳ６と同様の処理を行う。これにより、選択されたファイルの拡大画像Ｍ１０が第２ディスプレイ面２１に表示される（Ｓ１３）。この場合、図８に示すものと同様の画面形態となる。こうして、ユーザは、所望の画像を、大きなサイズで見ることができる。
【００７５】
以上、本実施の形態によれば、第１ディスプレイ面１１と第２ディスプレイ面２１とが外部に臨む第２表示状態において、比較画面モードが実行される。そして、この比較画面モードにおいて、第１ディスプレイ面１１上の縮小画像Ｍ５によって選択されたファイルと、そのファイルの前後のファイルとについて、縮小画像Ｍ５より大きいサイズの中間画像Ｍ７、Ｍ８、Ｍ９が第２ディスプレイ面２１に表示される。これにより、ユーザは、第２ディスプレイ面２１上で、これら中間画像を詳細に比較することができる。よって、携帯電話機に保存された画像の中に、連続写真のような類似する画像が含まれていても、これら複数の画像の中から所望の画像を容易に選び出すことができる。
【００７６】
また、本実施の形態によれば、ユーザは、中間画像Ｍ７、Ｍ８、Ｍ９が表示された比較用画面においてファイルをさらに選択し、そのファイルの拡大画像Ｍ１０を表示させることができる。よって、ユーザは、必要に応じて所望の画像をより拡大させることにより、その画像をさらに詳細に確認することができる。
【００７７】
さらに、本実施の形態によれば、ユーザによるスクロール操作に応じて、比較用画面が前後にスクロールされ、新たな中間画像が表示される。よって、ユーザは、中間画像を順次送りながら画像を比較していくことができ、使い勝手が良くなる。
【００７８】
さらに、本実施の形態によれば、第１ディスプレイ面１１上の一覧画面からファイルを新たに選択すると、そのファイルと前後のファイルの中間画像が、新たに第２ディスプレイ面２１に表示される。よって、ユーザは、現在表示されているファイルとは離れた位置にあるファイルの中間画像を第２ディスプレイ２１面に表示させる場合に、これら中間画像を迅速に表示させることができ、使い勝手が良くなる。
【００７９】
さらに、本実施の形態によれば、第２表示状態への切替え操作を行う前にファイルを選択する、という所定の移行操作によって比較画面モードが実行され、所定の移行操作が行われなければ、一覧画面モードが実行される。したがって、ユーザは、類似した画像を比較する必要がないとき、所定の移行操作を行わないようにすれば、一覧画面で縮小画像Ｍ５を選択するだけで、その縮小画像Ｍ５に対応する拡大画像Ｍ１０を見ることができる。したがって、所望の画像を、より大きなサイズで、迅速に確認することができる。
【００８０】
さらに、本実施の形態によれば、比較画面モードへの所定の移行操作が、第２表示状態への切替え操作を行う前にファイルを選択するという操作とされているので、特別なキーなどを設けることなく、移行操作を行うことができる。
【００８１】
以上、本発明の実施形態について説明したが、本発明はこれに限定されるものではなく、また、本発明の実施形態も、適宜、種々の変更が可能である。たとえば、以下のように変更され得る。
【００８２】
図１１は、データ表示モードにおける画面表示制御の変形例を説明するためのフローチャートである。同図（ａ）は変形例１のフローチャートを示し、同図（ｂ）は変形例２のフローチャートを示す。
【００８３】
変形例１では、上記実施の形態におけるステップＳ３の動作に代えて、ステップＳ１４からステップＳ１６の動作が行われる。すなわち、変形例１の構成では、第２表示状態へ移行した際に、第１ディスプレイ面１１と第２ディスプレイ面２１の両方に、図１０に示す一覧画面が表示される。そして、この状態から所望のファイルが選択されると、図９または図１０の表示形態に切り替えられる。図９または図１０の表示形態の何れに切り替わるかは、予め、ユーザによって設定される。ここでは、図９の表示形態に切り替わるモードを“比較モード”と称し、図１０の表示形態に切り替わるモードを“拡大モード”と称する。これらモードの設定は、たとえば、図４に示す初期画面の「設定」のモードキーＭ１を操作することによって行われる。
【００８４】
表示制御部１１０は、ステップＳ２において、第２表示状態への切替え操作がされたと判断すると、切り替え後の表示モードが比較モードに設定がされているか否かを判断する（Ｓ１４）。そして、比較モードに設定されていると判断すると、表示制御部１１０は、上記ステップＳ１１と同様の処理を行い、第２ディスプレイ面２１に、第１ディスプレイ面１１に続く縮小画像Ｍ５の一覧画面を表示させる（Ｓ１５）。これにより、図１０と同様の画面が表示される。
【００８５】
さらに、この状態において、第１ディスプレイ面１１および第２ディスプレイ面２１の双方の一覧画面からユーザ所望のファイルが選択されると（Ｓ１６：ＹＥＳ）、表示制御部１１０は、上記ステップＳ４の動作を行う。これにより、図７に示すように、選択されたファイルの中間画像Ｍ７とその前後のファイルの中間画像Ｍ８、Ｍ９の３つの画像が、第２ディスプレイ面２１に表示される。
【００８６】
一方、表示制御部１１０は、ステップＳ１４において、比較モードが設定されていない（拡大モードが設定されている）と判断すれば、図５のステップＳ１１の処理へと移行する。すなわち、第２ディスプレイ面２１に、第１ディスプレイ面１１に続く縮小画像Ｍ５の一覧画面を表示させる（Ｓ１１）。これにより、図１０と同様の画面が表示される。さらに、この状態において、第１ディスプレイ面１１および第２ディスプレイ面２１の双方の一覧画面からユーザによって所望のファイルが選択されると（Ｓ１２：ＹＥＳ）、表示制御部１１０は、上記ステップＳ１３の動作を行う。これにより、図８に示すように、選択されたファイルの拡大画像Ｍ１０が表示される。
【００８７】
なお、表示制御部１１０は、ステップＳ１５の動作によって、第２ディスプレイ面２１に一覧画面を表示するのではなく、これに代えて、図１２に示すように、ファイル選択を促すメッセージ画面を表示するような動作を行うようにしてもよい。
【００８８】
次に、変形例２では、上記実施の形態におけるステップＳ４の動作とステップＳ５の動作との間にステップＳ１７およびステップＳ１８の動作が付加される。すなわち、上記実施の形態では、静止画のファイルの縮小画像のみが一覧画面に配列される構成としているが、この変形例２の構成では、メモリ６００に動画のファイルと静止画のファイルが保存されている場合、一覧画面において、これらファイルの縮小画像が混在して配列される。そして、このような構成において、比較画面モードに移行すると、表示制御部１１０は、選択されたファイルとその前後のファイルの中に動画が含まれているか否かを判断する（Ｓ１７）。動画が含まれていれば（Ｓ１７：ＹＥＳ）、表示制御部１１０は、動画を再生すべく画像信号を液晶表示器５００に送出する。これにより、図７に示す画面形態において、第２ディスプイ面２１に表示される比較用画面の３つの中間画像のうち、動画のファイルの中間画像については動画の状態で表示される。このような構成とすれば、ユーザは、中間画像を見たときに、原画像が動画であることを容易に確認することができる。また、動画の中間画像が複数ある場合には、その動画同士を容易に比較することができる。
【００８９】
なお、静止画のみの一覧画面とは別に、動画のみの一覧画面を表示できる構成とし、動画の一覧画面から比較画面モードを実行する場合には、中間画像を動画の状態で表示するようにしてもよい。
【００９０】
さらに、上記実施の形態では、一覧画面で１つのファイルが選択されると、このファイルの中間画像Ｍ７と、これに隣接するファイルの中間画像Ｍ８、Ｍ９が表示される構成とされている。これは、連続写真など類似した画像は、連続したファイル名で記憶されることが多く、一覧画面で隣接して配置されることが多いと想定されるためである。しかしながら、ファイル名が変えられるなどした場合には、図１３に示すように、一覧画面において、類似した画像が離れた位置に配置されることも起こり得る。そこで、このような場合に対処すべく、以下のような構成とすることもできる。
【００９１】
＜構成例１＞
この構成例では、時間情報に関連付けて画像データがメモリ６００内に記憶され、画像を拡大表示する際には、時間情報が互いに接近する画像どうしが互いに類似する画像として選択され表示される。ここで、時間情報は、取捨選択の精度を高めるために、秒単位あるいはそれより小さな単位とするのが望ましい。たとえば、時間情報を分単位とすると、同一時間（分）を時間情報として持つ画像が多数存在し、この中に類似しない画像が含まれる可能性が高くなる。これを避けるために、時間情報は、秒単位、あるいは、これより短くするのが望ましい。
【００９２】
上記図３の構成例においてカメラモジュール１３で撮影がなされる際には、撮影開始時の時間情報が内部時計から取得され、この時間情報に関連付けて画像データがメモリ６００に格納される。その際、時間情報は、秒単位、望ましくは、これより短い単位とされる。この場合、時間が接近する画像が選択されると、これらは通常、互いに類似する画像となっている。
【００９３】
しかし、メモリ６００内には、他の機器から通信にて取得された画像データも含まれ得る。この場合も、通常、画像データに時間情報（撮影時間、等）が関連づけられるが、この時間情報は、他の機器の設定により、秒単位よりも長い単位（たとえば、日付のみ）となっている場合もある。よって、この場合、時間が接近する画像を選択すると、多数の画像が選択され、これらの中には、互いに類似しない画像が含まれ得る。この場合には、たとえば、選択された多数の画像をさらに篩いに掛ける必要がある。その際の選択基準として、たとえば、上記実施形態のように、ファイル名（ファイル番号）等を用いて、ファイル名（ファイル番号）が接近するものを選択することができる。あるいは、各画像にＧＰＳ（Global Positioning System）による位置情報が付加されている場合には、この位置情報が接近するものを選択するよう構成することもできる。
【００９４】
このように、時間情報をもとに画像を選択する場合、表示制御部１１０は、図１３に示す一覧画面から、所望のファイル、たとえば、「００９．ｊｐｇ」のファイルが選択されると、上記実施の形態で実行される比較画面モードのステップＳ４の動作に代えて、次のような動作を実行する。
【００９５】
すなわち、表示制御部１１０は、選択されたファイルの撮影日時に近い順に２つのファイルをメモリ６００から読み出し、これら２つのファイルの中間画像Ｍ８、Ｍ９を、選択されたファイルの中間画像Ｍ７とともに第２ディスプレイ面２１に表示させる。撮影日時が近いファイルが３つ以上存在する場合には、上記のように、ファイル名（ファイル番号）や位置情報をもとに、２つのファイルを選択する。こうして、第２ディスプレイ面２１には、図１４に示すように、一覧画面での配置に関係なく、選択された画像と、それに類似した画像（たとえば、「００８．ｊｐｇ」、「子供１．ｊｐｇ」）が表示される。
【００９６】
なお、選択したファイルの撮影時間に対してある程度時間が経過しているファイルについては、同時期に撮影されたものではないと考えられ、選択したファイルに類似していないと考えられる。そこで、選択したファイルの撮影時間に近い２つのファイルが抽出されたときに、それらの中で、撮影時間が所定の時間より経過しているものがあれば、そのファイルの中間画像が表示されない構成とすることもできる。
【００９７】
＜構成例２＞
上述のとおり、撮影位置のデータ（撮影位置データ）をもとに類似する画像を選択することもできる。この場合撮影位置データが画像データに関連づけてメモリ６００に記憶される。図３に示す構成には、ＧＰＳ機能が付加される。すなわち、図３に示す構成に、さらに、ＧＰＳアンテナとＧＰＳ通信処理部が付加される。ＧＰＳ通信処理部は、ＧＰＳアンテナを介して、ＧＰＳ衛星と通信し、位置情報を取得する。撮影時に取得された位置情報が、撮影位置データとして画像データとともにメモリ６００に記憶される。
【００９８】
そして、この場合、図１３に示す一覧画面から、所望のファイルが選択されると、表示制御部１１０は、選択されたファイルの撮影位置に近い順に２つのファイルをメモリ６００から読み出し、これら２つのファイルの中間画像Ｍ８、Ｍ９を、選択されたファイルの中間画像Ｍ７とともに第２ディスプレイ面２１に表示させる（図１４参照）。
【００９９】
なお、ＧＰＳ通信処理部の位置検出精度によっては、僅かな位置の違いが判別できない場合もあり、複数のファイルの撮影位置が同じとなる場合も生じ得る。このような場合には、撮影位置の情報に加え撮影時間の情報を加味してファイルが抽出される構成とすることもできる。
【０１００】
さらに、上記実施の形態や上記構成例では、一覧画面から所望のファイルを選択すると、動画、静止画などそのファイルのファイル形式に関係なく、そのファイルの画像に類似すると思われるファイルの中間画像が表示される。しかしながら、たとえば、類似する画像の中に動画と静止画が混在している場合に、ユーザが、類似した静止画だけあるいは類似した動画だけを比較したい場合も考えられる。したがって、選択したファイルと同じファイル形式のものの中から、類似すると思われる画像が抽出される構成としてもよい。
【０１０１】
この他、上記実施の形態では、比較用画面において、中央の中間画像Ｍ７がタッチされれば、拡大画像Ｍ１０が表示され、左右の中間画像Ｍ８、Ｍ９がタッチされれば、中間画像が前後にスクロールされる構成とされている。しかしこれに限らず、たとえば、３つの中間画像Ｍ７、Ｍ８、Ｍ９の何れがタッチされても、タッチされたファイルの拡大画像が表示される構成としてもよい。また、このような構成とした場合、比較用画面中にスクロール操作部が配され、このスクロール操作部の操作により、中間画像が前後にスクロールされる構成としてもよい。
【０１０２】
また、上記実施の形態では、比較用画面において、３つの中間画像が表示される構成とされている。しかし、これに限らず、２つあるいは４つ以上の中間画像が表示されてもよい。但し、中間画像の数が多くなれば、その分、サイズが小さくなってしまうので、ディスプレイ面の大きさとの関係で、中間画像が小さくなり過ぎない数とする必要がある。
【０１０３】
なお、上記実施の形態では、類似すると想定される画像が抽出されることを説明したが、抽出された画像が必ずしも類似である必要はなく、上記実施の形態で説明したファイル名、時間、位置のような、予め設定された類似基準を満たす画像が抽出されればよい。
【０１０４】
その他、本発明の実施の形態は、特許請求の範囲に示された技術的思想の範囲内におい
て、適宜、種々の変更が可能である。
【符号の説明】
【０１０５】
１１    第１ディスプレイ面（第１表示面）
１４    磁石（切替部）
１６    突起部（切替部）
１７    突起部（切替部）
２１    第２ディスプレイ面（第２表示面）
２３    磁石（切替部）
２６    軸部（切替部）
２７    軸部（切替部）
３４    コイルバネ（切替部）
３９    案内溝（切替部）
４００  液晶表示器（第１表示部）
５００  液晶表示器（第２表示部）
６００  メモリ（記憶部）
１１０  表示制御部
Ｍ５    縮小画像（第１サイズの画像情報）
Ｍ７、Ｍ８、Ｍ９  中間画像（第２サイズの画像情報）
Ｍ１０  拡大画像（第３サイズの画像情報）
【図１】
2011151809.tif 000003
【図２】
2011151809.tif 000004
【図３】
2011151809.tif 000005
【図４】
2011151809.tif 000006
【図５】
2011151809.tif 000007
【図６】
2011151809.tif 000008
【図７】
2011151809.tif 000009
【図８】
2011151809.tif 000010
【図９】
2011151809.tif 000011
【図１０】
2011151809.tif 000012
【図１１】
2011151809.tif 000013
【図１２】
2011151809.tif 000014
【図１３】
2011151809.tif 000015
【図１４】
2011151809.tif 000016